(57)【要約】【課題】照明手段を取付けるための特段のスペースを不要とし、照明手段を保護できる構造を有するキッチンカウンタを提供すること。【解決手段】カウンタ部２の上面に、仕切板１１と、カウンタ部２の上面に立設され仕切板１１の少なくとも一方の側端部を支持するとともに中空部を有する支持具１２と、からなる衝立１０が設けられているキッチンカウンタ１であって、該衝立１０を介してカウンタ部２を照らす照明手段が、支持具１２の中空部に設けられている。【選択図】図１
2008049045.tif 000002
【特許請求の範囲】
【請求項１】
カウンタ部の上面に、仕切板と、前記カウンタ部の上面に立設され前記仕切板の少なくとも一方の側端部を支持するとともに中空部を有する支持具と、からなる衝立が設けられており、該衝立を介して前記カウンタ部を照らす照明手段が、前記支持具の中空部に設けられていることを特徴とするキッチンカウンタ。
【請求項２】
前記仕切板は、該仕切板の下端面が前記カウンタ部の上面と離間した高さ位置において前記支持具に支持されていることを特徴とする請求項１に記載のキッチンカウンタ。
【請求項３】
前記仕切板が導光板で形成されているとともに、前記照明手段が前記導光板の側端面に向かって照らしていることを特徴とする請求項１または２に記載のキッチンカウンタ。
【請求項４】
前記支持具の外面に、前記照明手段による照光の一部を前記支持具の外部に通過させる透光部が形成されていることを特徴とする請求項１ないし３のいずれかに記載のキッチンカウンタ。
【請求項５】
前記支持具は、前記カウンタ部の上面に立設された本体と、該本体の一部に設けられた回動部において該本体に接続された枢着体と、からなるとともに、前記枢着体に前記照明手段が設けられていることを特徴とする請求項１ないし４のいずれかに記載のキッチンカウンタ。
【発明の詳細な説明】
【技術分野】
【０００１】
本発明は、カウンタ部の上面に、仕切板と、カウンタ部の上面に立設され仕切板の少なくとも一方の側端部を支持するとともに中空部を有する支持具と、からなる衝立が設けられており、この衝立を介してカウンタ部を照らす照明手段が設けられているキッチンカウンタに関する。
【背景技術】
【０００２】
従来のキッチンカウンタは、カウンタ部の上面に、例えばコンロの後方側に設けた油跳ねガード又はシンクの後方側に設けた水跳ねガードとしての衝立を設置し、この衝立に照明手段を設けてカウンタ部を照明するようにしている（例えば、特許文献１参照）。
【０００３】
【特許文献１】特開２００５−６３８００号公報（第２頁、第１図）
【発明の開示】
【発明が解決しようとする課題】
【０００４】
しかしながら、特許文献１にあっては、カウンタ部の上面に設置した衝立とは別個に照明手段を設けており、照明手段を支持するための特段の支持構造若しくは照明手段の配線が、衝立周りに必要となるため、水や油が直接かかるおそれがあるばかりでなく、照明手段を含んだ衝立の構造が複雑となり、見栄えも良いものとはいえなかった。
【０００５】
このようにカウンタ部の上方において、複雑な構造体である照明手段を衝立とは別個に設置しようとすると、照明手段を取付けるための特段のスペースを新たに設ける必要が生じるばかりか、照明手段を支持し保護する部材も必要となっていた。
【０００６】
本発明は、このような問題点に着目してなされたもので、照明手段を取付けるための特段のスペースを不要とし、照明手段を保護できる構造を有するキッチンカウンタを提供することを目的とする。
【課題を解決するための手段】
【０００７】
上記課題を解決するために、本発明の請求項１に記載のキッチンカウンタは、
カウンタ部の上面に、仕切板と、前記カウンタ部の上面に立設され前記仕切板の少なくとも一方の側端部を支持するとともに中空部を有する支持具と、からなる衝立が設けられており、該衝立を介して前記カウンタ部を照らす照明手段が、前記支持具の中空部に設けられていることを特徴としている。
この特徴によれば、仕切板の少なくとも一方の側端部を支持する支持具の中空部を利用して、照明手段が設けられているため、照明手段を取付けるための特段のスペースを新たに設ける必要がなく、水や油が直接かかることなく照明手段を保護できる。
【０００８】
本発明の請求項２に記載のキッチンカウンタは、請求項１に記載のキッチンカウンタであって、
前記仕切板は、該仕切板の下端面が前記カウンタ部の上面と離間した高さ位置において前記支持具に支持されていることを特徴としている。
この特徴によれば、仕切板に付着した飛散物若しくは塵芥等が仕切板の下端面周辺において滞留することが無いばかりか、カウンタ部の上面を、仕切板の前面側と後面側とに亘って拭取りがし易く、衛生環境を維持できる。
【０００９】
本発明の請求項３に記載のキッチンカウンタは、請求項１または２に記載のキッチンカウンタであって、
前記仕切板が導光板で形成されているとともに、前記照明手段が前記導光板の側端面に向かって照らしていることを特徴としている。
この特徴によれば、中空部内において照明手段が導光板に向かって照らしているため、衝立に反射する反射光で照らす場合と比べて、照明手段と仕切板との間の遮蔽物の影響を受けることがなく、照明手段の一部として構成した導光板により、常時安定してキッチンカウンタを照らすことが出来る。
【００１０】
本発明の請求項４に記載のキッチンカウンタは、請求項１ないし３のいずれかに記載のキッチンカウンタであって、
前記支持具の外面に、前記照明手段による照光の一部を前記支持具の外部に通過させる透光部が形成されていることを特徴としている。
この特徴によれば、同じ光源を利用して透光部により照光の一部を通過させることで、支持具の周辺を照らすことができ、光源を広範囲に活用できる。
【００１１】
本発明の請求項５に記載のキッチンカウンタは、請求項１ないし４のいずれかに記載のキッチンカウンタであって、
前記支持具は、前記カウンタ部の上面に立設された本体と、該本体の一部に設けられた回動部において該本体に接続された枢着体と、からなるとともに、前記枢着体に前記照明手段が設けられていることを特徴としている。
この特徴によれば、枢着体とともに回動部まわりに回動した照明手段により、キッチンカウンタまわりに対しても照らすことが可能となる。また、照明手段の故障に際しては、支持具の外側へ照明手段が出せるため、機器の取り替えや修理を行い易い。
【発明を実施するための最良の形態】
【００１２】
本発明の実施例を以下に説明する。
【実施例】
【００１３】
本発明の実施例を図面に基づいて説明すると、先ず図１は、本発明の実施例におけるキッチンカウンタの全体像を示す斜視図である。図２は、キッチンカウンタの側面図である。図３は、衝立の部分断面図である。図４（ａ）、（ｂ）は、本発明の変形例における衝立を示す斜視図である。図５は、変形例における衝立の部分断面図である。
【００１４】
図１に示されるように、本実施例におけるキッチンカウンタ１は、幅方向に延びる箱状に構成されており、前面に適宜開閉扉５ａ若しくは開閉引出し５ｂを備えたキッチンキャビネット５が設けられるとともに、キッチンキャビネット５の上面を構成するカウンタ部２において図示右側に設けたシンク３及び図示左側に設けたコンロ４が設けられている。また、キッチンカウンタ１の右側の後面後方には、特に図示しないが、ダイニングテーブルが配置されているものとする。
【００１５】
図２に示されるように、衝立１０は、カウンタ部２の上面におけるシンク３の後ろ側にて立設されており、いわゆる水跳ねガードとして、後面後方のダイニングテーブル（図示略）側への水分の飛散を防止している。また、後述のように、衝立１０を介してカウンタ部２を照らす照明手段としての照明具１３が、衝立１０の側方に設けられている（図３参照）。
【００１６】
図１ないし図３に示されるように、衝立１０について具体的に説明すると、衝立１０は、仕切板１１と、カウンタ部２の上面に設置されて仕切板１１の両側端部を支持する支持具１２、１２と、からなる。支持具１２は、カウンタ部２に固定されたベース部１５と、ベース部１５に接続された上下方向に延びるガード部１６とからなり、仕切板１１の側端部を前後両面１１ｆ、１１ｇから外嵌し挟持して、仕切板１１をカウンタ部２の上面に対し略直交方向に支持している。
【００１７】
仕切板１１は、内部に照光を導入させる導光板であるとともに、透明性を備えるアクリル板から成っており、特に前面１１ｆ及び後面１１ｇには全面に亘ってドット状の凹凸部が形成されている。ここで導光板とは、一面から内部に照光を導入させるとともに、他面から外部に該照光を導出させる性質を備えた板のことであって、上記アクリル板に限られず、例えば、ガラス板若しくはプラスチック板等であってもよく、板の素材については特に限定されるものではない。また、前面１１ｆ及び後面１１ｇの全面に亘って形成されたドット状の凹凸部によって、仕切板１１内部から外部照光が拡散されるので、ダイニング側からキッチン側が見え難くなる。
【００１８】
尚、本発明における導光板は必ずしも全部の照光を透過させる透明な板である必要はなく、例えば、導光板の一面から内部に照光を導入させたときに、他面から外部に僅かな照光が導出される半透明な板材であってもよい。このような半透明な導光板を用いることで、ダイニング側からキッチン側を見え難くすることができる。
【００１９】
支持具１２は円筒形状に形成されるとともに、中空部１５ａを有しており、この中空部１５ａに仕切板１１の側辺に沿って上下方向に延びる照明具１３が設けられている。照明具１３は、周面から発光する直管型の蛍光灯からなる発光体１３ａと、発光体１３ａを支持してガード部１６に嵌挿された保持具１３ｂとを備え、発光体１３ａに電力を供給するケーブルの一端が接続されている。また、ケーブル他端側は、カウンタ部２に形成された挿通孔に挿通されて、キッチンキャビネット内部に設けられた電源（コンセント）に接続されている。支持具１２下端部近傍には、発光体をＯＮ／ＯＦＦさせるタッチ式のスイッチ１８が設けられている。
【００２０】
尚、発光体１３ａは、必ずしも本実施例の蛍光灯に限定されるものではなく、例えば発光ダイオード（ＬＥＤ）、電球等、他の公知の発光体であってもよい。また、スイッチは、必ずしも本実施例のタッチ式に限られず、例えばキッチン使用者の手などを検知して制御するセンサ式であってもよい。
【００２１】
次に、衝立１０の組付けについて説明する。
【００２２】
図３に示されるように、支持具１２を構成するベース部１５を、パッキン（図示略）を介してボルト１７によりカウンタ部２に対し螺着して固定するとともに、上下方向に延びるガード部１６はベース部１５に接続される。支持具１２は断面視中央部に中空部１５ａを有しており、発光体１３ａが上下方向に配置されるようにして中空部１５ａ内に照明具１３を配設する。
【００２３】
このようにすることで、カウンタ部２の上面に設置された仕切板１１の側端部を支持する支持具１２の中空部１５ａを利用して照明具１３が設けられているため、照明具１３を取付けるための特段のスペースを新たに設ける必要がなく、仕切板１１を支持する支持構造を有する支持具１２の中空部内において、水や油が直接かかることなく、また人や物と不測に接触して破損等させることなく、照明具１３を保護できる。
【００２４】
次に、仕切板１１の側端面１１ｂが発光体１３ａと近傍位置に配置するように、仕切板１１の側端部において前後両面１１ｆ、１１ｇをベース部１５により外嵌して支持する。このように支持した状態において、仕切板１１の側端面１１ｂと発光体１３ａとは近接するように配置される。
【００２５】
図１に示されるように、仕切板１１は、仕切板１１の下端面１１ｃがカウンタ部２の上面と所定寸法離間した高さ位置において支持具１２に支持されており、このようにすることで、仕切板１１に付着した飛散物若しくは塵芥等が仕切板１１の下端面１１ｃ周辺において滞留することが無いばかりか、カウンタ部２の上面を、仕切板１１の前面１１ｆ側と後面１１ｇ側とに亘って拭取りがし易く、衛生環境を維持できる。更に、仕切板１１は、支持具１２の上端の止具を着脱することにより取り外し可能となっており、仕切板１１の側端面１１ｂ等に埃が溜まった場合に取り外して清掃し易くなっている。
【００２６】
また、カウンタ部２の前面１１ｆ側に面するガード部１６の外面に、照明手段による照光の一部をガード部１６の外部に通過させる透光部１９ａが、上下方向に沿ってスリット状に形成されている。透光部１９ａは、仕切板１１と同じく透明性を備えている。同様に、カウンタ部２の後面１１ｇ側に面するガード部１６の外面にも、透光部としての透光部１９ｂが形成されている。透光部１９ｂは、演出用としてブルーに彩色されている。
【００２７】
次に、照明具１３の使用について説明する。
【００２８】
支持具１２の外面に設けられたスイッチ１８をＯＮ操作することにより、照明具１３に電源が供給され、発光体１３ａが発光する。発光体１３ａは蛍光灯であるため、照光Ｋは発光体１３ａの周面から拡散して進行する性質を備えている（図３参照）。
【００２９】
図３に示されるように、発光体１３ａから仕切板１１に向かって発せられた照光は、導光性を有する仕切板１１の側端面１１ｂを照らし、側端面１１ｂから仕切板１１内部に向かって進入する。そして仕切板１１の前面１１ｆ、後面１１ｇの両面を反射して屈折を繰り返しながら内部を進行するとともに、照光の一部（照光Ｋ）は、全面に亘ってドット状の凹凸部が形成された前面１１ｆ及び後面１１ｇから仕切板１１の外部に向かって照らす。
【００３０】
このようにすることで、中空部１５ａ内において照明具１３が仕切板１１の側端面１１ｂに向かって照らしているため、衝立１０に反射する反射光でカウンタ部２を照らす場合と比べて、照明具１３と仕切板１１との間の遮蔽物の影響を受けることがなく、照明具１３の一部として構成した仕切板１１の前面１１ｆ若しくは後面１１ｇ等より発光させて、常時安定してカウンタ部２を照らすことが出来る。
【００３１】
尚、仕切板１１の前面１１ｆ及び後面１１ｇは、全面に亘ってドット状の凹凸部が形成されているため、仕切板１１内部で前面１１ｆと後面１１ｇとを交互に反射する反射光として進行する照光の一部が、前面１１ｆ若しくは後面１１ｇより外部に向けて発光し易くなっている。即ち、光源としての発光体１３ａ自体の照度と比べて、前面１１ｆ及び後面１１ｇから外部に照らす照光Ｋの照度は低く、人の目の高さ位置に近い衝立１０の側端部において照明具１３を設け、衝立１０を介した間接光を用いるため、上記のように照度が低くても、カウンタ部２を十分に照らすことができ、人の目に優しい。また、仕切板１１の上端面には、非透光性物質を蒸着または貼付しておくと眩しさを抑えることができるので好ましい。
【００３２】
また、周面から発光する発光体１３ａの照光の一部（照光Ｋ１）を、仕切板１１を介さず透光部１９ａを通して通過させ、カウンタ部２の前面側を照らす。同様に照光の一部（照光Ｋ２）を、透光部１９ｂを通して通過させ、カウンタ部２の後面側を演出用としてブルーに照らす。このようにすることで、同じ光源を利用して透光部としての透光部１９ａ、１９ｂにより照光の一部を通過させることで、支持具１２の周辺を照らすことができ、光源を広範囲に活用できる。
【００３３】
次に、本発明の変形例を説明する。尚、上記実施例と重複する構成については説明を省略する。
【００３４】
図４（ａ）、（ｂ）に示されるように、衝立２０を構成する支持具２２は、カウンタ部２に固定的に取付けられた本体２２ａと、本体２２ａの上端部に設けられた回動部２７において本体２２ａに接続された枢着体２２ｂとからなる。
【００３５】
本体２２ａは、外側端面における上端から略中央高さにかけて設けられた中空部２５ａと連通する開口部２５ｂが形成されるとともに、図４（ａ）一点鎖線に示される閉着状態において、開口部２５ｂを被覆するように枢着体２２ｂが配設されている。
【００３６】
枢着体２２ｂは平板体であって、閉着状態において仕切板２１側に面するように、電源（図示略）と接続された発光体２３ａと保持具２３ｂとからなる照明手段としての照明具２３が一側面に設けられ、上記実施例と同様に、閉着状態において仕切板２１の側端面２１ｂを照らし、前面２１ｆ及び後面２１ｇからカウンタ部２周辺を照らすことができるようになっている。また、この閉着状態において、本体２２ａ及び枢着体２２ｂを構成する支持具２２全体として略直方形状に形成されている。
【００３７】
また、回動部２７は、カウンタ部２前後方向の仮想の第１回動軸Ｃと、第１回動軸Ｃに直交する方向の仮想の第２回動軸Ｄとを備え、枢着体２２ｂは、本体２２ａに対し第１回動軸Ｃまわりに回動可能であり、且つ第２回動軸Ｄまわりに回動可能である。このようにすることで、図４（ａ）実線及び図４（ｂ）に示される枢着体２２ｂの開放状態において、枢着体２２ｂが回動部２７周りに回動しうるので、枢着体２２ｂとともに回動した照明具２３により、キッチンカウンタまわりに対しても仕切板２１を介さずに直接照らすことが可能となる。
【００３８】
尚、回動部２７は、本体２２ａの外側端面における上端部に設けられているに限らず、例えば、本体のカウンタ部前面側の側端面において設けられていてもよいし、本体の略中央高さ位置における側端部に設けられていてもよい。また、回動軸の軸方向は本変形例に限定されるものではなく、更に、回動軸の数量は本変形例の２軸に限定されず、例えば、１軸でもよいし３軸であってもよい。
【００３９】
本変形例では、支持具２２の枢着体２２ｂのみに照明具２３が設けられているため、枢着体２２ｂを閉着状態として仕切板２１を介してカウンタ部２を照らすか、若しくは枢着体２２ｂを開放状態としてカウンタ部２の周辺を直接照らすかを択一的に選択するようになっているが、例えば、照明具２３が支持具２２の枢着体２２ｂに設けられているに加えて、本体２２ａの下部において形成された中空部に第２の発光体が設けられており、枢着体２２ｂの閉着状態若しくは開放状態の如何にかかわらず、前記第２の発光体により、常時、仕切板２１を介してカウンタ部２を照らすようにしてもよい。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、上記実施例では、衝立１０は、シンク３の後面側に立設されているが、キッチンカウンタのカウンタ部２の上面に設けられていれば、例えば、コンロ４の後面側に立設されていてもよいし、シンク３やコンロ４を除いた調理スペースの後面側に立設されていてもよい。
【００４２】
また、上記実施例では、１枚の仕切板１１が、該仕切体１１の左右両側端縁を支持する２本の支持具１２によって立設されているが、本発明はこれに限定されるものではなく、複数の仕切板１１を用いた場合には、その仕切板１１の側端縁同士を支持具１２によって接合して立設させるようにしてもよく、例えば、２枚の仕切板１１を用いた場合には、３本の支持具１２を用いて、２本は各々の仕切板１１の左右側端縁を支持し、１本は２枚の仕切板１１同士の間に配置して、各々の仕切板１１の側端縁同士を接合して支持するような構成にしてもよい。
【００４３】
また、上記実施例では、仕切板１１は、導光性を有しているとともに、透明性を備えており、側端面１１ｂから内部に照光を導入させて、前面１１ｆ若しくは後面１１ｇ等から発光させているが、例えば仕切板は、導光性及び透明性を有しておらず、該仕切板を構成する衝立の側方に設けた照明手段により、衝立を照らし反射させて、カウンタ部を照らすようにしてもよい。
【００４４】
また、上記実施例では、衝立１０の後方にダイニングテーブル（図示略）が配置されているが、水や油を飛散することを防止する衝立の後方の対象物としては、必ずしもダイニングテーブルに限られず、例えば、衝立の後方が壁面であってもよい。
【００４５】
また、上記実施例では、仕切板１１の両方の側端部において、夫々支持具１２、１２が設けられているが、例えば、仕切板の一方のみの側端部において、該仕切板を片持ちする支持具が設けられていてもよい。
【図面の簡単な説明】
【００４６】
【図１】本発明の実施例におけるキッチンカウンタの全体像を示す斜視図である。
【図２】キッチンカウンタの側面図である。
【図３】衝立の部分断面図である。
【図４】（ａ）、（ｂ）は、本発明の変形例における衝立を示す斜視図である。
【図５】変形例における衝立の部分断面図である。
【符号の説明】
【００４７】
１                キッチンカウンタ
２                カウンタ部
３                シンク
４                コンロ
５                キッチンキャビネット
１０              衝立
１１              仕切板
１１ｂ            側端面
１１ｃ            下端面
１１ｆ            前面
１１ｇ            後面
１２              支持具
１３              照明具（照明手段）
１３ａ            発光体
１３ｂ            保持具
１５              ベース部
１５ａ            中空部
１６              ガード部
１８              スイッチ
１９ａ            透光部
１９ｂ            透光部
２０              衝立
２１              仕切板
２１ｂ            側端面
２１ｆ            前面
２１ｇ            後面
２２              支持具
２２ａ            本体
２２ｂ            枢着体
２３              照明具（照明手段）
２３ａ            発光体
２３ｂ            保持具
２５ａ            中空部
２５ｂ            開口部
２７              回動部
Ｃ                第１回動軸
Ｄ                第２回動軸
Ｋ                照光
Ｋ１、Ｋ２        照光
【図１】
2008049045.tif 000003
【図２】
2008049045.tif 000004
【図４】
2008049045.tif 000005
【図５】
2008049045.tif 000006
【図３】
2008049045.tif 000007